(57)【要約】【課題】使用する筆記用具に制限がなく、メモ等を、普段使用する筆記用具で枠内に配置した用紙に直接書き込むだけで、この筆記用具の移動軌跡を記録して電子データとして保存する入力デバイスを提供する。【解決手段】入力デバイスＤは、筆記用具Ｗで書き込むときに手を乗せるための矩形状のフレーム１と、少なくとも一組の発光素子と受光素子とから構成され、上記フレーム１内の筆記用具Ｗに関連して生じる、上記発光素子から受光素子に到達する光の遮断を検知することにより、この筆記用具Ｗのフレーム１内における位置情報を出力する光学式センサＳを備え、この光学式センサＳの枠内から露呈した用紙Ｐの部分に、筆記用具Ｗ等で書き込むと、その筆記用具Ｗの先端の移動軌跡が、電子データとして記憶手段Ｍに記憶される。【選択図】図１
2012208928.tif 000002
【特許請求の範囲】
【請求項１】
筆記用具で書き込める用紙の少なくとも一部分を囲む、下記（Ａ）の枠状の光学式センサと、この光学式センサの枠内から露呈した上記用紙の部分に筆記用具で書き込むときに、その筆記用具の先端の移動軌跡を電子データとして記憶する記憶手段と、を備えることを特徴とする入力デバイス。
（Ａ）筆記用具で書き込むときに手を乗せるための矩形状のフレームと、これに取り付けられた少なくとも一組の発光素子と受光素子とから構成され、上記フレーム内の筆記用具に関連して生じる、上記発光素子から受光素子に到達する光の遮断を検知することにより、この筆記用具のフレーム内における位置情報を出力する光学式センサ。
【請求項２】
上記（Ａ）の枠状光学式センサのフレーム部分に、その枠状において互いに対向する一方の部分に光出射用の複数のコアが形成され、他方の部分に光入射用の複数のコアが形成され、光出射用のコアの先端部と光入射用のコアの先端部とが対峙するように、各コアの先端部が上記フレームの内側縁に位置決めされた光導波路が配設され、上記光導波路の各光出射用のコアから光入射用のコアに向かって出射された光が、上記フレーム内に、縦横に交差する光の格子を形成するようになっている、請求項１記載の入力デバイス。
【請求項３】
上記（Ａ）の枠状光学式センサのフレームに、その枠状において互いに対向する一方の部分に複数の発光素子が並んで配置され、他方の部分に複数の受光素子が並んで配置され、各発光素子および受光素子が上記フレームの内側に向かって位置決めされ、上記発光素子から受光素子に向かって出射された光が、上記フレーム内に、縦横に交差する光の格子を形成するようになっている、請求項１記載の入力デバイス。
【請求項４】
上記（Ａ）の枠状光学式センサのフレームの四つの角部のうち、一つの辺の両側の角部に、上記発光素子と複数の受光素子からなる受光素子アレイとを上下に重ねたモジュールがそれぞれ配置され、これらモジュールの間の上記一つの辺を除く三つの辺の内側面に、テープ状の再帰性光反射体が配設され、一方のモジュールの発光素子から出射された光が、上記再帰性光反射体により反射されて、この一方のモジュールの受光素子アレイに再帰入射するようになっている、請求項１記載の入力デバイス。
【請求項５】
上記光学式センサと記憶手段とが、記憶装置として一体に形成され、その記憶装置が、上記用紙に対して設置自在あるいは着脱自在になっている請求項１〜４のいずれか一項に記載の入力デバイス。
【発明の詳細な説明】
【技術分野】
【０００１】
本発明は、光学的な位置検出手段を備える入力デバイスに関するものである。
【背景技術】
【０００２】
操作に慣れが必要なキーボードやマウス等に代えて、パーソナルコンピュータ等の情報機器を誰もが簡単に操作できる入力装置（入力デバイス）として、タブレットやタッチパネル等の平板状の入力デバイスが用いられている。このような平板状の入力デバイスは、機器を操作する人の指やペンがタッチパネル等に触れた位置を二次元（ｘ−ｙ方向）で検出する触れ位置検出手段を備えており、モニターやそのパネルの下に配置された液晶画面等のフラットディスプレイの表示（絵模様やアイコン等）と連携して、上記情報機器等を直感的に操作できるようになっている（例えば、特許文献１等を参照）。
【０００３】
上記タッチパネル等における触れ位置検出手段（タッチセンサ）としては、通常、価格や性能，耐久性等の観点から、抵抗膜方式や静電容量方式，電磁誘導方式等を採用したものが用いられる。これらの方式のタッチパネルは、そのパネルの表面近傍に、多数の電気的な接点がマトリックス状に形成された構造を有する。
【０００４】
そして、上記のようなタブレットやタッチパネル等の構成を、仮想的な電子文具に応用した例もある。例えば、手書きのメモ等をデジタル化（画像化）する電子メモ装置は、入力するメモ等を表示することのできる、タッチセンサ付きのディスプレイ（タッチパネル）を備えており、そのディスプレイに、指や専用ペン等を接触させ、その先端を動かすことにより、これら指等の先端部の移動軌跡または筆跡（位置情報）が、メモ等の情報として入力され、上記ディスプレイ等に表示されるようになっている。また、上記ディスプレイ等に表示された先端部の移動軌跡は、画像等の電子データとして上記電子メモ装置に保存（記憶）されるようになっている。
【０００５】
また、特許文献２には、左右に配置された複数のカメラで、筆記領域内における筆記部材の反射光（空間画像）を撮像し、得られた画像のなかから筆記部材の形状を抽出して認識するとともに、この形状認識された筆記部材の先端（下端）部が上記筆記領域の平面に接触したと判断された際に、上記筆記部材の先端部の位置（座標）を、上記複数のカメラを用いた三角測量により算出し、上記筆記部材が筆記領域の平面に接触してから離れるまでに得られた接触位置の座標列（筆記データ）を、メモ等の情報として媒体に記録する筆記入力装置が提案されている。
【先行技術文献】
【特許文献】
【０００６】
【特許文献１】特開２００４−２０６６１３号公報
【特許文献２】特開２００１−１８４１６１号公報
【発明の概要】
【発明が解決しようとする課題】
【０００７】
ところで、上記のようなタッチパネル付きの電子メモ装置は、簡単に文字等を入力することができて便利ではあるものの、コンピュータ，電子情報機器等の操作に不慣れな人や、高齢者等を中心に、筆跡や文字等がディスプレイ等に表示される電子的なメモより、紙等の媒体上に直接筆跡が残る形でメモを残したい、という要望が依然として根強い。
【０００８】
また、上記反射光を利用した撮像により筆記部材の先端位置を特定して、紙等の媒体上に筆記したメモを電子化する筆記入力装置は、撮像された画像のなかから、画像処理および演算（認識手段）により、上記筆記部材と筆記領域に侵入した他の物体（手先や指等）とを判別しているため、その処理（位置の特定）に時間がかかり、システム全体の構成や機構も、複雑で高コストになってしまうという欠点がある。しかも、上記筆記入力装置は、画像中から上記筆記部材（の形状）を抽出するために、使用予定の筆記部材の外形形状を予め記憶させておかねばならず、すぐに使用を始められないという問題もある。
【０００９】
本発明は、このような事情に鑑みなされたもので、使用する筆記用具に制限がなく、メモ等を、普段使用する筆記用具で枠内に配置した用紙に直接書き込むだけで、この筆記用具の移動軌跡を記録して電子データとして保存する入力デバイスの提供をその目的とする。
【課題を解決するための手段】
【００１０】
上記の目的を達成するため、本発明の入力デバイスは、筆記用具で書き込める用紙の少なくとも一部分を囲む、下記（Ａ）の枠状の光学式センサと、この光学式センサの枠内から露呈した上記用紙の部分に筆記用具で書き込むときに、その筆記用具の先端の移動軌跡を電子データとして記憶する記憶手段と、を備える構成をとる。
（Ａ）筆記用具で書き込むときに手を乗せるための矩形状のフレームと、これに取り付けられた少なくとも一組の発光素子と受光素子とから構成され、上記フレーム内の筆記用具に関連して生じる、上記発光素子から受光素子に到達する光の遮断を検知することにより、この筆記用具のフレーム内における位置情報を出力する光学式センサ。
【発明の効果】
【００１１】
本発明の入力デバイスは、書き込み用の用紙の上に載置され、この用紙の少なくとも一部分がその枠内から露呈する上記（Ａ）筆記用具で書き込むときに手を乗せるための枠状の光学式センサと、この光学式センサから得られる筆記用具の移動軌跡情報を、電子データとして記憶する記憶手段とを備えている。そのため、上記光学式センサの枠内から露呈した用紙の部分に、筆記用具等で書き込むと、その軌跡（筆跡）は、上記用紙に残るとともに、どのような筆記用具であっても、その先端（ペン先）による遮光部位の軌跡（影跡）が、上記記憶手段に電子データとして保存（記憶）される。これにより、本発明の入力デバイスは、電子化することに特別な配慮を払うことなく、メモ等を、利用者が普段利用している筆記用具で枠内の用紙に直接書き込むだけで、その筆記用具の移動軌跡が自動的に電子化される。しかも、上記電子化された情報は、上記記憶手段からパーソナルコンピュータ等を利用して引き出す（再生する）ことができ、他者との共有化や、知識や記録等の保管も簡単に行うことができて、便利である。
【００１２】
また、本発明の入力デバイスにおいては、上記書き込みの際、手（右手，左手を問わず、筆記する際に接地する、手のひらの小指球部位や指、あるいは、筆記用具の支持点となる手首や腕等を含む）を矩形状のフレームに乗せて書くことにより、この手の接地部位を筆記用具と誤って認識することがなくなり、従来の反射光を利用した筆記入力装置で必要であった認識手段（特許文献２参照）のような、複雑なシステムが不要になる。
【００１３】
また、本発明の入力デバイスは、筆記用具の先端部の触れ位置の検出手段（光学式センサ）として、上記（Ａ）矩形状のフレームと、これに取り付けられた少なくとも一組の発光素子と受光素子とから構成され、上記フレーム内の筆記用具に関連して生じる、上記発光素子から受光素子に到達する光の遮断を検知することにより、この筆記用具のフレーム内における位置情報を出力する光学式センサを用いている。そのため、触れ位置の検出面に、電気的な（物理的な）接点がなく、耐久性に優れるうえ、埃や汚れ等の影響も受けにくい。また、筆記用具で書き込む際も、抵抗膜方式や静電容量方式，電磁誘導方式等のような大きな筆圧を必要とせず、センサを意識しない、自然な書き込みを行うことができる。
【００１４】
さらに、上記（Ａ）の枠状光学式センサとして、そのフレーム部分に、その枠状において互いに対向する一方の部分に光出射用の複数のコアが形成され、他方の部分に光入射用の複数のコアが形成され、光出射用のコアの先端部と光入射用のコアの先端部とが対峙するように、各コアの先端部が上記フレームの内側縁に位置決めされた光導波路が配設され、上記光導波路の各光出射用のコアから光入射用のコアに向かって出射された光が、上記フレーム内に、縦横に交差する光の格子を形成するようになっている光学式センサを用いる場合は、この光学式センサの枠（フレーム）を、薄い形状とすることができる。すなわち、光導波路は、フィルム状やシート状等、薄く形成することが可能なため、この光学式センサの枠に組み込んでも、筆記用具で書き込む際にその書き込み作業の邪魔にならない程度にまで、枠を薄く形成することができる。これにより、上記用紙への書き込みを、より自然体で、かつ、楽な姿勢で行うことが可能になる。
【００１５】
また、本発明の入力デバイスにおいて、上記（Ａ）の枠状光学式センサとして、そのフレーム内に、その枠状において互いに対向する一方の部分に複数の発光素子が並んで配置され、他方の部分に複数の受光素子が並んで配置され、各発光素子および受光素子が上記フレームの内側に向かって位置決めされ、上記発光素子から受光素子に向かって出射された光が、上記フレーム内に、縦横に交差する光の格子を形成するようになっている光学式センサを用いる場合は、これら発光素子（光源）として発光ダイオード（ＬＥＤ）等を使用し、受光素子としてフォトダイオード（ＰＤ）を用いる等、汎用的な部品を使用することができる。したがって、上記光学式センサを安価に構成できる点で有利である。また、耐衝撃に優れ、耐久性があるというメリットがある。
【００１６】
そして、本発明の入力デバイスにおいて、上記（Ａ）の枠状光学式センサとして、そのフレームの四つの角部のうち、一つの辺の両側の角部に、上記発光素子と複数の受光素子からなる受光素子アレイとを上下に重ねたモジュールがそれぞれ配置され、これらモジュールの間の上記一つの辺を除く三つの辺の内側面に、テープ状の再帰性光反射体が配設され、一方のモジュールの発光素子から出射された光が、上記再帰性光反射体により反射されて、この一方のモジュールの受光素子アレイに再帰入射するようになっている光学式センサを用いる場合は、少ない部品点数で、三角測量により、上記筆記用具の先端の位置を特定できる。また、この入力デバイスも、汎用的な部品を用いて、安価に構成することができる。
【００１７】
また、本発明の入力デバイスにおいて、上記光学式センサと記憶手段とが、記憶装置として一体に形成され、その記憶装置が、上記光学式センサを用紙の上に載置する際に、用紙に対して設置自在あるいは着脱自在になっている場合は、上記用紙を新しいものに簡単に交換することができる。また、用紙を新しいものに交換しても、上記記憶した内容（移動軌跡）を、上記記憶装置の記憶手段からパーソナルコンピュータ等を利用して、容易に引き出す（再生する）ことができる。
【図面の簡単な説明】
【００１８】
【図１】本発明の実施形態における入力デバイスの全体構成を説明する図である。
【図２】第１実施形態における入力デバイスの概略構成を説明する平面図である。
【図３】第２実施形態における入力デバイスの概略構成を説明する平面図である。
【図４】（ａ）は第３実施形態における入力デバイスの概略構成を説明する平面図であり、（ｂ）はそのＺ部拡大図である。
【図５】（ａ）〜（ｆ）はいずれも、第１実施形態の入力デバイスに用いる光導波路の製法を説明する図である。
【図６】（ａ）は本発明の実施例における入力デバイスＤ４の平面図、（ｂ）はその断面図である。
【図７】（ａ）は本発明の実施例における入力デバイスＤ５の平面図、（ｂ）はその断面図である。
【図８】（ａ）は本発明の実施例における入力デバイスＤ６，７の平面図、（ｂ）は入力デバイスＤ６の断面図、（ｃ）は入力デバイスＤ７の断面図である。
【図９】（ａ）は本発明の実施例における入力デバイスＤ８の平面図、（ｂ）は入力デバイスＤ８の断面図であり、（ｃ）および（ｄ）はともに、その変形例の断面図である。
【図１０】（ａ）は本発明の実施例における入力デバイスＤ９の平面図、（ｂ）は入力デバイスＤ９の断面図であり、（ｃ）および（ｄ）はともに、その変形例の断面図である。
【発明を実施するための形態】
【００１９】
つぎに、本発明の実施の形態を、図面にもとづいて詳しく説明する。
【００２０】
図１は、本発明の実施の形態における入力デバイスＤの全体構成を説明する図である。
この入力デバイスＤは、筆記用具Ｗで書き込める用紙Ｐの少なくとも一部分を囲む枠状の光学式センサＳと、光学式センサＳの枠内における筆記用具Ｗの先端の移動軌跡を、電子データとして記憶する記憶手段Ｍと、を備える。そして、上記光学式センサＳは、矩形状のフレーム１が、筆記用具Ｗで書き込む際に手（手のひらＨの小指球部位Ｕ等）を乗せることができるようになっており、このフレーム１に取り付けられた少なくとも一組の発光素子（光源）と受光素子とから構成され、上記フレーム１内の筆記用具Ｗに関連して生じる、上記発光素子から受光素子に到達する光の遮断を検知することにより、上記筆記用具Ｗ等のフレーム１内における位置情報を出力するようになっている。これが本発明の入力デバイスＤの特徴である。
【００２１】
上記実施の形態における入力デバイスＤ（図１）は、システム手帳等に用いられるバイブルサイズ（縦１７１ｍｍ×横９５ｍｍ）の用紙、または、Ａ５サイズ（ＪＩＳ  Ｐ  ０１３８  「紙加工仕上寸法」に準拠、以下同じ）の用紙に対応して、そのフレーム１の内寸（開口サイズ）が、おおよそ縦１５０〜２５０ｍｍ，横８０〜１６０ｍｍ程度になるように設定されている。さらに、フレーム１の厚みは、筆記に用いる手（上記手のひらＨの小指球部位Ｕ、あるいは筆記用具の支持点となる手首や腕等）を上に乗せる場合を考慮して、１〜２０ｍｍ程度に設定されている。
【００２２】
ここで、本発明において、「筆記用具で書き込むときに手を乗せるための」矩形状のフレーム１とは、筆記用具Ｗで書き込むときに常時、手を乗せるという趣旨ではなく、例えば、右利きの人が、用紙Ｐの中央部分ないし左側部分等に書き込む際に、上記フレーム１に手を乗せる（載せる、あるいは接触させる）という状態であり、上記用紙Ｐの右側部分等、枠外から筆記できる場合には、上記手をフレーム１上に乗せる必要はない。
【００２３】
また、上記入力デバイスＤには、通信（電源）ケーブル（ない場合もある）や、これを駆動するためのバッテリ、上記発光素子および受光素子のドライバ等の制御手段、パーソナルコンピュータ等の情報機器と通信するための通信手段（有線または無線）が内蔵されているが、いずれも図示を省略している。また、上記光学式センサＳと記憶手段Ｍ（フレーム１内に内蔵）とが一体となった入力デバイスＤを「記憶装置」と呼ぶ場合もある。
【００２４】
つぎに、上記入力デバイス（Ｄ）の具体的な例として、光導波路を用いた光の分配機構により、光学式センサ（Ｓ１）のフレーム１の内側に、筆記用具Ｗの先端部検出用の光の格子を形成する、第１実施形態について説明する。
【００２５】
図２は、第１実施形態における入力デバイスＤ１の概略構成を説明する平面図である。なお、この図においては、説明を容易にするために、フレーム１の辺Ｘ１，Ｘ２方向を横方向（ｘ方向）とし、フレーム１の辺Ｙ１，Ｙ２方向を縦方向（ｙ方向）とするとともに、フレーム１内部の光導波路コア（４ａ，４ｂ，５ａ，５ｂ）を一点鎖線で、フレーム１内側の格子状の光（不可視の赤外光）を二点鎖線で表示している。また、上記光導波路コアの本数と格子状の光の本数は、数を省略して描いており、図１と同様に、入力デバイスＤを駆動するためのバッテリ、発光素子および受光素子のドライバ等の制御手段、パーソナルコンピュータ等の情報機器と通信するための通信手段（ケーブルまたは無線アンテナ）等は、図示を省略している（図１および以降の図３〜図１０も同様）。
【００２６】
この第１実施形態における入力デバイスＤ１も、筆記用具Ｗで書き込める用紙（Ｐ）の上に載置することにより、枠状のフレーム１内側の四角状の領域（検知領域）における筆記用具Ｗの先端（触れ位置Ｔ）の位置（ｘ−ｙ座標）を検出する触れ位置検出手段を有する光学式センサＳ１と、この光学式センサＳ１により得られた筆記用具Ｗの先端位置の移動軌跡情報（ｘ−ｙ位置の変化）を記憶する記憶手段（Ｍ）と、を備えている。
【００２７】
光学式センサＳ１のフレーム１部分には、上記触れ位置検出手段の発光部として、図２のように、その横方向の辺Ｘ１側に光出射用のコア４ａを有し、縦方向の辺Ｙ１側に光出射用のコア４ｂを有する発光側光導波路４が配置され、発光素子（光源２）から出射された光が、上記発光側光導波路４の各光出射用コア４ａ，４ａ，・・・（横方向）と、各光出射用コア４ｂ，４ｂ，・・・（縦方向）とに分岐・分配されるようになっている。
【００２８】
また、上記四角状の検知領域を挟んで対向するフレーム１部分には、上記触れ位置検出手段の受光部として、その横方向の辺Ｘ２側に光入射用のコア５ａを有し、縦方向の辺Ｙ２側に光入射用のコア５ｂを有する受光側光導波路５が配置され、上記検知領域を通過して、上記受光側光導波路５の各光入射用コア５ａ，５ａ，・・・（横方向）と、各光入射用コア５ｂ，５ｂ，・・・（縦方向）とに入射した光が、これら各光入射用コア５ａ，５ｂの一つ一つに対応する多数の受光素子を有する受光素子アレイ３に導かれるようになっている。
【００２９】
なお、上記記憶手段（Ｍ）は、この受光素子アレイ３と重ねて配置されている。また、上記フレーム１のサイズは、使用する用紙のサイズとこのフレーム１内への手の侵入しにくさ（「枠内に手を置くには狭い」という心理的効果）を考慮して、その内側の開口寸法が、縦が通常８０〜２９７ｍｍ程度、好適には１００〜２１０ｍｍで、横が通常８０〜２１０ｍｍ程度、好適には１００〜１４８ｍｍになるように設定されている。そして、上記手（手のひらの小指球部位等）の乗せ易さを考慮して、フレーム１の幅は、通常１０〜１００ｍｍ程度、好適には１５〜５０ｍｍで、その手を乗せる部分の厚み（総厚）が、通常１〜２０ｍｍ程度になるように設定されている。ここで、上記フレーム１の総厚１〜２０ｍｍには、２つの態様があり、薄手のものは１〜５ｍｍに設定され、少し厚手で強度を高くしたものは、５ｍｍを越えて２０ｍｍ以下の厚みに設定される。
【００３０】
上記発光側光導波路４および受光側光導波路５について、さらに詳しく説明すると、これらの光導波路４，５は、例えば、ポリマー系光導波路の場合、樹脂材料を用いて形成されたアンダークラッド層およびオーバークラッド層（ともに図示せず）の間に、フォトリソグラフィ法等により上記形状にパターニングされた上記各コア４ａ，４ｂ，５ａ，５ｂが配置されている。
【００３１】
また、上記発光側光導波路４および受光側光導波路５は、触れ位置検出用であることから、これら発光側光導波路４から分岐する各コア４ａ，４ｂの先端部（出射部）と、受光側光導波路５の各コア５ａ，５ｂの先端部（入射部）とは、図２に示すように、互いが対峙するように上記フレーム１の内側縁に位置決めされている。そして、上記検知領域を挟んで対向する発光側光導波路４のコア４ａの先端部と受光側光導波路５のコア５ａの先端部との間（縦方向）、および、発光側光導波路４のコア４ｂの先端部と受光側光導波路５のコア５ｂの先端部との間（横方向）に、上記のような光の格子（二点鎖線）が形成される。
【００３２】
なお、上記実施形態においては、光導波路の各コア４ａ，４ｂ，５ａ，５ｂが樹脂材料（高分子材料）を用いて形成されたポリマー系光導波路を例にあげたが、これらコアを構成する材料は、例えばガラス等、周囲に配設されるクラッド層より屈折率の高い材料で構成することもできる。ただし、コアと周囲のクラッド層との屈折率の差は、０．０１以上であることが好ましく、上記形状のパターンニング性等も考慮すると、紫外線硬化樹脂等の感光性樹脂が最も好ましい。使用する紫外線硬化樹脂としては、アクリル系，エポキシ系，シロキサン系，ノルボルネン系，ポリイミド系等があげられる。
【００３３】
さらに、コアの周囲のクラッド層は、上記紫外線硬化樹脂等の感光性樹脂のうち、コアより屈折率の低い材料を用いればよい。その他にも、クラッド層には、ガラス，シリコン，金属，樹脂等、平坦性を有する基板を兼用する材料を用いることもできる。クラッド層は、コア下側のアンダークラッド層のみとしてもよく、コアを覆うオーバークラッド層は、形成しなくてもよい。そして、上記光導波路は、プラズマを用いたドライエッチング法，転写法，露光・現像を用いたフォトリソグラフィ法，フォトブリーチ法等により作製することが可能である。
【００３４】
上記光学式センサＳ１に使用する発光素子（光源２）には、発光ダイオード（ＬＥＤ）または半導体レーザー等が用いられ、なかでも、光伝送性に優れるＶＣＳＥＬ（垂直共振器面発光レーザー）が好適に用いられる。上記光源２が出射する光の波長としては、近赤外（波長：７００〜２５００ｎｍ）が好ましい。
【００３５】
上記光学式センサＳ１に使用する受光素子（受光素子アレイ３）としては、ＣＣＤ，ＣＭＯＳ等のイメージセンサや、多数の受光素子が一列に並ぶＣＭＯＳリニアセンサアレイ等を用いることができる。
【００３６】
そして、図１のように、上記記憶手段（Ｍ）を備える光学式センサＳ１（記憶装置）を、筆記可能な用紙Ｐの少なくとも一部分を囲むように、その用紙Ｐの上に着脱自在に載置した場合、上記フレーム１の上面に手（手のひらＨの小指球部位Ｕ等）を着いて、上記光学式センサＳ１の枠内から露呈した用紙Ｐの部分に、筆記用具Ｗの先端を降ろすと、図２に示すように、上記枠内を通る格子状の光の一部が筆記用具Ｗの先端により遮断され、その遮断部分が上記触れ位置検出手段の受光素子により感知されることにより、上記筆記用具Ｗ先端の枠内における座標位置（ｘ−ｙ軸、図２中の「触れ位置Ｔ」を参照）が検知・特定され、その座標が上記記憶手段（Ｍ）に記憶される。また、その状態で、上記筆記用具Ｗを移動させてメモ等を書き込むと、その移動に伴う上記筆記用具Ｗの先端の軌跡（メモ等の書き込み情報）が検出され、その軌跡がデジタルデータ（電子データ）として上記記憶手段（Ｍ）に記憶される。すなわち、光学式センサＳ１の枠内から露呈した用紙Ｐの部分に、筆記用具Ｗでメモ等を書き込むと同時に、そのメモ等の情報が上記記憶手段（Ｍ）のメモリ等に記録される。
【００３７】
なお、上記入力デバイスＤ１は、上記のように、筆記用具Ｗによる遮光を利用してその先端位置を特定しているため、筆記時に、上記筆記用具Ｗの先端の検知の障害となる手先や指等〔なかでも、筆記するときに用紙等に接触し易い「手のひらの小指球部位」（小指側側面）図１の符号Ｕの斜線部位を参照〕が、誤って上記光学式センサＳ１の枠内（露呈する用紙上）に侵入するおそれがある。しかしながら、この入力デバイスＤ１では、上記「筆記用具Ｗで書き込むときに手を乗せるための矩形状のフレーム１」によって、筆記領域の周縁の境界が明示され、このフレーム１が、その内側の検知領域（すなわち、書き込み用の領域）に検知の障害となる他の物体が侵入したり、書き込み作業者の左右の手の手先や指等が上記検知領域にうっかり触れるといった「お手つき」現象を防止する、心理的な障壁として機能するため、上記手先や指等による誤検知が防止されている。しかも、上記フレーム１が「書き込み用の領域」の周縁として認識されることにより、書き込み作業者は、筆記時に用紙等に接触し易い上記「手のひらの小指球部位」あるいは手首等の「筆記用具の支持点」を、上記フレーム１の上に自然と乗せる（接触させる）ことになるため、これらの接触による入力ミスや誤検知が起きにくいという点でも有利である。
【００３８】
しかも、上記第１実施形態の入力デバイスＤ１は、上記フレーム１内に配置される、光学式センサＳ１の触れ位置検出手段に、フィルム状またはシート状の光導波路（厚くても１ｍｍ程度）を用いていることから、基台や保護板等の厚みを考慮しても、そのフレーム１の総厚（手を乗せる部分の厚み）を１〜２０ｍｍ程度に形成できるため、このフレーム１の上に手や手首等を乗せても違和感がなく、書き込みが行い易くなっている。また、フィルム状またはシート状の光導波路が、上記のように薄いことから、発光側光導波路４の各光出射用コア４ａの先端部から出射する光は、その枠内の用紙Ｐ表面から僅かに高い位置（０．６ｍｍ程度）を通過させることが可能で、上記筆記用具Ｗを多少斜めにした状態で書き込んでも、この光の格子により検知される軌跡は、筆記用具Ｗの先端の実際の軌跡（用紙Ｐ上のメモ）とのずれが少なく、人間の見た目と同じ適正な状態で、上記記憶手段（Ｍ）に保存（記憶）することができる。
【００３９】
つぎに、光学式センサ（Ｓ２）のフレーム１内に、発光素子（光源）として多数の発光ダイオード（ＬＥＤ）を並べて配置し、受光素子として多数のフォトダイオード（ＰＤ）を並べて配置することにより、光学式センサ（Ｓ２）の枠内に、筆記用具Ｗの先端部検出用の光の格子を形成する、第２実施形態の入力デバイスＤ２について説明する。
【００４０】
図３は、第２実施形態における入力デバイスＤ２の概略構成を説明する平面図である。なお、この図においても、フレーム１の辺Ｘ１，Ｘ２方向を横方向（ｘ方向）とし、フレーム１の辺Ｙ１，Ｙ２方向を縦方向（ｙ方向）とするとともに、ＬＥＤ，ＰＤの個数と格子状の光の本数は数を省略し、このフレーム内の電気配線等を点線で表示している。また、前記のバッテリや通信手段等も、図示を省略している。
【００４１】
この第２実施形態における入力デバイスＤ２も、筆記用具Ｗで書き込める用紙（Ｐ）の上に載置することにより、枠状のフレーム１内側の四角状の領域（検知領域）における筆記用具Ｗの先端（触れ位置Ｔ）の位置（ｘ−ｙ座標）を検出する触れ位置検出手段を有する光学式センサＳ２と、この光学式センサＳ２により得られた筆記用具Ｗの先端位置の移動軌跡情報（ｘ−ｙ位置の変化）を記憶する記憶手段Ｍ（内蔵）と、を備えている。
【００４２】
上記第２実施形態の入力デバイスＤ２が、先の第１実施形態の入力デバイス（Ｄ１）と異なる点は、筆記用具Ｗ先端の触れ位置を検出するための光の格子が、図３のように、光学式センサＳ２のフレーム１内に並べて配置された多数のＬＥＤ６，６，・・・を光源とする発光部により形成されている点である。また、上記各ＬＥＤ６が配置されたフレーム１の部位（辺Ｘ１，Ｙ１）に対向するフレーム１部分（辺Ｘ２，Ｙ２）には、これら各ＬＥＤ６に対応する多数のＰＤ７，７，・・・からなる受光部が形成され、これら各ＰＤ７は、上記各ＬＥＤ６と同様、枠状のフレーム１の内縁に沿って、その先端が内側に向くように並べて位置決めされている。そして、各ＬＥＤ６およびＰＤ７のコントローラ（制御手段）を兼用する記憶手段Ｍの制御により、上記各ＬＥＤ６を一斉に、あるいは、走査方向に順次発光させることによって、フレーム１内の四角状の検知領域に、触れ位置検出用の光の格子（二点鎖線）が形成される。
【００４３】
なお、上記フレーム１のサイズは、使用する用紙のサイズとこのフレーム１内への手の侵入しにくさを考慮して、その内側の開口寸法が、縦が通常８０〜２９７ｍｍ程度、好適には１００〜２１０ｍｍで、横が通常８０〜２１０ｍｍ程度、好適には１００〜１４８ｍｍになるように設定されている点は、前記第１実施形態と同様である。また、同様に、上記手（手のひらの小指球部位等）の乗せ易さを考慮して、フレーム１の幅は、通常１０〜１００ｍｍ程度、好適には１５〜５０ｍｍで、その手を乗せる部分の厚み（総厚）が、通常１〜２０ｍｍ程度になるように設定されている。ここで、上記フレーム１の総厚１〜２０ｍｍには、２つの態様があり、薄手のものは１〜５ｍｍに設定され、少し厚手で強度を高くしたものは、５ｍｍを越えて２０ｍｍ以下の厚みに設定される。
【００４４】
そして、上記発光素子（光源）として使用するＬＥＤ６としては、近赤外（波長：７００〜２５００ｎｍ）の光を発光するタイプの赤外ＬＥＤ（赤外発光ダイオード）が好ましい。また、受光素子としては、上記フォトダイオード（ＰＤ）の他、多数の受光素子がバー状あるいはアレイ状に一列に並ぶリニアセンサアレイや、イメージセンサ等を用いてもよい。
【００４５】
上記第２実施形態の入力デバイスＤ２を用いた筆記用具Ｗの触れ位置の検出は、以下のような手順で行われる。すなわち、まず、図１のように、コントローラを兼用する記憶手段Ｍを備える光学式センサＳ２（記憶装置）を、筆記可能な用紙Ｐの少なくとも一部分を囲むように、その用紙Ｐの上に着脱自在に載置する。つぎに、校正（キャリブレーション）として、上記発光部のＬＥＤ６を一つずつ（端から）順次発光させながら、このＬＥＤ６に対応（対向）するＰＤ７に到達する光（格子光）の強度を、発光時と未発光時で測定し、各ＰＤ７ごとに、遮光による筆記用具の検知・非検知のしきい値を決定して、上記記憶手段Ｍにテーブル等として記憶する。
【００４６】
つぎに、上記コントローラを兼用する記憶手段Ｍにより、上記各ＬＥＤ６を順次発光させ、光学式センサＳ２の検知領域内を走査（スキャン）した状態で、上記フレーム１の上面に手（手のひらの小指球部位等）を着いて、この光学式センサＳ２の枠内から露呈した用紙Ｐの部分に、筆記用具Ｗの先端を降ろすと、図３のように、上記枠内を通る格子状の光の一部が筆記用具Ｗの先端により遮断され、その遮断部分が上記触れ位置検出手段の該当受光素子により検知されることにより、上記筆記用具Ｗ先端の枠内における座標位置（ｘ−ｙ軸、図３中の「触れ位置Ｔ」を参照）が特定され、その座標が上記記憶手段Ｍに記憶される。
【００４７】
そして、上記筆記用具Ｗを移動させてメモ等を書き込むと、その移動に伴う上記筆記用具Ｗの先端の軌跡（メモ等の書き込み情報）が検出され、その軌跡がデジタルデータ（電子データ）として上記記憶手段Ｍに記憶される。すなわち、光学式センサＳ２の枠内から露呈した用紙Ｐの部分に、筆記用具Ｗでメモ等を書き込むと同時に、そのメモ等の情報が上記コントローラを兼用する記憶手段Ｍのメモリ等に記録される。
【００４８】
上記のような第２実施形態の入力デバイスＤ２によっても、前記第１実施形態と同様、フレーム１の上に手や手首等を乗せても違和感がなく、人間の見た目と同じ適正な状態で、枠内の用紙Ｐへ筆記と、メモ等の記憶手段Ｍへの記憶を同時に行うことができる。しかも、上記入力デバイスＤ２においても、そのフレーム１は、「お手つき」現象等を防止する心理的な障壁として機能し、左右の手の手先や指等の接触による入力ミスや誤検知が起きにくいという効果を奏する。さらに、上記入力デバイスＤ２は、発光素子（光源）として発光ダイオード（ＬＥＤ）等を使用し、受光素子としてフォトダイオード（ＰＤ）を用いる等、汎用的な部品を使用することが可能なため、デバイスを安価に構成することができる。
【００４９】
つぎに、光学式センサ（Ｓ３）のフレーム１の二つの角部に、発光素子と受光素子アレイとからなるモジュールをそれぞれ配置し、これら二つのモジュールを用いて、枠内の筆記用具Ｗの先端の位置を三角測量法により特定する、第３実施形態の入力デバイスＤ３について説明する。
【００５０】
図４（ａ）は、第３実施形態における入力デバイスＤ３の概略構成を説明する平面図であり、図４（ｂ）は、そのＺ部拡大図である。なお、これらの図においても、フレーム１の辺Ｘ１，Ｘ２方向を横方向（ｘ方向）とし、フレーム１の辺Ｙ１，Ｙ２方向を縦方向（ｙ方向）とするとともに、前記のバッテリや通信手段等の図示を省略している。
【００５１】
この第３実施形態における入力デバイスＤ３も、筆記用具Ｗで書き込める用紙（Ｐ）の上に載置することにより、枠状のフレーム１内側の四角状の領域（検知領域）における筆記用具Ｗの先端（触れ位置Ｔ）の位置（ｘ−ｙ座標）を検出する触れ位置検出手段を有する光学式センサＳ３と、この光学式センサＳ３により得られた筆記用具Ｗの先端位置の移動軌跡情報（ｘ−ｙ位置の変化）を記憶する記憶手段Ｍ（内蔵）と、を備えている。
【００５２】
上記第３実施形態の入力デバイスＤ３が、先の第１，第２実施形態の入力デバイス（Ｄ１，Ｄ２）と異なる点は、その光学式センサＳ３のフレーム１の四つの角部のうち、一つの辺（本例においてはＸ１）の両側の角部１ａ，１ｂに、図４（ｂ）のような、発光素子（ＬＥＤ６）と受光素子アレイ（イメージセンサ８）とを上下に組み合わせた受発光モジュール（カメラモジュールＣ１，Ｃ２）がそれぞれ配置され、これらカメラモジュールＣ１，Ｃ２の間の上記一つの辺（Ｘ１）を除く三つの辺（Ｘ２，Ｙ１，Ｙ２）の内側面に、図４（ａ）のように、テープ状の再帰性光反射体（再帰反射テープ９）が貼り付けられている点である。なお、記憶手段Ｍは、上記第２実施形態と同様、ＬＥＤ６やイメージセンサ８のコントローラ（制御手段）を兼用するようになっている。
【００５３】
この構成により、上記第３実施形態における光学式センサＳ３は、各カメラモジュールＣ１，Ｃ２の各ＬＥＤ６から出射された光が、上記再帰反射テープ９の反射により、出射元のカメラモジュールＣ１，Ｃ２に向かって再帰し、その枠内に、図４（ａ）に示すような、光が各カメラモジュールＣ１，Ｃ２ごとに波紋様に広がる、放射状の光の交差が生じる。
【００５４】
なお、上記フレーム１のサイズは、前記第１，第２実施形態と同様、使用する用紙のサイズとこのフレーム１内への手の侵入しにくさを考慮して、その内側の開口寸法が、縦が通常８０〜２９７ｍｍ程度、好適には１００〜２１０ｍｍで、横が通常８０〜２１０ｍｍ程度、好適には１００〜１４８ｍｍになるように設定されている。また、同様に、上記手（手のひらの小指球部位等）の乗せ易さを考慮して、フレーム１の幅は、通常１０〜１００ｍｍ程度、好適には１５〜５０ｍｍで、その手を乗せる部分の厚み（総厚）が、通常１〜２０ｍｍ程度になるように設定されている。ここで、上記フレーム１の総厚１〜２０ｍｍには、２つの態様があり、薄手のものは１〜５ｍｍに設定され、少し厚手で強度を高くしたものは、５ｍｍを越えて２０ｍｍ以下の厚みに設定される。
【００５５】
そして、上記カメラモジュールＣ１，Ｃ２の発光素子（光源）としては、近赤外（波長：７００〜２５００ｎｍ）の光を発光するタイプの赤外ＬＥＤ（赤外発光ダイオード）が好ましい。また、受光素子としては、ＣＣＤ，ＣＭＯＳ等のイメージセンサや、多数の受光素子が一列に並ぶＣＭＯＳリニアセンサアレイ等を用いることができる。
【００５６】
また、上記フレーム１の三つの辺（Ｘ２，Ｙ１，Ｙ２）の内側面に取り付ける再帰性光反射体としては、マイクロプリズム式またはガラスビーズ式のどちらでもよい。また、上記例では、取扱いが容易なように、テープ状の成形体を用いているが、その代わりに、上記三つの辺（Ｘ２，Ｙ１，Ｙ２）の内側面に、光再帰性を有するの塗料等を塗布してもよい。
【００５７】
上記第３実施形態の入力デバイスＤ３を用いた筆記用具Ｗの触れ位置の検出は、以下のような手順で行われる。すなわち、まず、図１のように、コントローラを兼用する記憶手段Ｍを備える光学式センサＳ３（記憶装置）を、筆記可能な用紙Ｐの少なくとも一部分を囲むように、その用紙Ｐの上に着脱自在に載置する。つぎに、校正（キャリブレーション）として、上記カメラモジュールＣ１，Ｃ２の各ＬＥＤ６を発光させながら、各カメラモジュールＣ１，Ｃ２の各イメージセンサ８に再帰する光（再帰光）の強度を、発光時と未発光時で測定し、各カメラモジュールＣ１，Ｃ２ごとに、遮光による筆記用具の検知・非検知のしきい値を決定して、上記記憶手段Ｍにテーブル等として記憶する。
【００５８】
つぎに、上記コントローラを兼用する記憶手段Ｍにより、上記各ＬＥＤ６を発光させた状態で、上記フレーム１の上面に手（手のひらの小指球部位等）を着いて、この光学式センサＳ３の枠内から露呈した用紙Ｐの部分に、筆記用具Ｗの先端を降ろすと、図４（ａ）のように、上記枠内を通る交差状の光の一部が筆記用具Ｗの先端により遮断され、その遮断部分が上記各カメラモジュールＣ１，Ｃ２の該当受光素子により検知されることにより、上記コントローラを兼用する記憶手段Ｍが三角測量法を用いた演算を行い、上記筆記用具Ｗ先端の枠内における座標位置〔ｘ−ｙ軸、図４（ａ）中の「触れ位置Ｔ」を参照〕を特定し、その座標を記憶手段Ｍが記憶する。
【００５９】
そして、上記筆記用具Ｗを移動させてメモ等を書き込むと、同様に、その移動に伴う上記筆記用具Ｗの先端の軌跡（メモ等の書き込み情報）が検出，演算され、その軌跡のデジタルデータ（電子データ）が、上記記憶手段Ｍに記憶される。すなわち、光学式センサＳ３の枠内から露呈した用紙Ｐの部分に、筆記用具Ｗでメモ等を書き込むと同時に、そのメモ等の情報が上記コントローラを兼用する記憶手段Ｍのメモリ等に記録される。
【００６０】
上記のような第３実施形態の入力デバイスＤ３によれば、前記第１，第２実施形態と同様、フレーム１の上に手や手首等を乗せても違和感がなく、人間の見た目と同じ適正な状態で、枠内の用紙Ｐへ筆記と、メモ等の記憶手段Ｍへの記憶を同時に行うことができる。しかも、上記入力デバイスＤ３においても、そのフレーム１は、「お手つき」現象等を防止する心理的な障壁として機能し、左右の手の手先や指等の接触による入力ミスや誤検知が起きにくいという効果を奏する。さらに、上記入力デバイスＤ３は、発光素子（光源）として発光ダイオード（ＬＥＤ）等を使用し、受光素子としてＣＣＤ，ＣＭＯＳ等のイメージセンサを用いる等、汎用的な部品を使用することができるため、構成する光学部品の点数が少ないことと相俟って、デバイスを安価に構成することが可能になる。
【実施例】
【００６１】
つぎに、上記実施の形態に記載の入力デバイスＤ１（光導波路４，５を用いた第１実施形態）の作製方法の一例について説明する。ただし、本発明は、以下の実施例に限定されるものではない。
【００６２】
まず、上記入力デバイスＤ１に用いる光導波路４，５の製法を説明する。
図５（ａ）〜（ｆ）はいずれも、本実施例の入力デバイスＤ１に用いる光導波路４，５の製法を説明する図である。
【００６３】
本実施例においては、光出射用のコア４ａ（辺Ｘ１側）およびコア４ｂ（辺Ｙ１側）を有する発光側光導波路４と、光入射用のコア５ａ（辺Ｘ２側）およびコア５ｂ（辺Ｙ２側）を有する受光側光導波路５とを、枠状にかつ一体に形成する（図２参照）。
【００６４】
（基板の準備）
まず、光導波路４，５を形成するための四角枠状の基板１０を準備する。この基板１０の形成材料としては、例えば、金属，樹脂，ガラス，石英，シリコン等があげられる。
【００６５】
（アンダークラッド層の作製）
ついで、図５（ａ）に示すように、上記四角枠状の基板１０の表面に、それと同形状の四角枠状のアンダークラッド層１１を形成する。このアンダークラッド層１１は、感光性樹脂を形成材料として、フォトリソグラフィ法により形成することができる。アンダークラッド層１１の厚みは、例えば、５〜５０μｍの範囲内に設定される。
【００６６】
（コアの作製）
つぎに、図５（ｂ）に示すように、上記四角枠状のアンダークラッド層１１の表面に、フォトリソグラフィ法により前記パターンの光出射用のコア４ａ，４ｂ（図示省略）および光入射用のコア５ａ，５ｂ（図示省略）を形成する。なお、図５（ｂ）では、代表的にコア４ａとコア５ａのみを表示している。また、これらコア４ａ，４ｂ，５ａ，５ｂの形成材料としては、上記アンダークラッド層１１および後記のオーバークラッド層１２〔図５（ｅ）参照〕の形成材料よりも屈折率が高い感光性樹脂が用いられる。
【００６７】
（オーバークラッド層の作製）
ついで、図５（ｃ）に示すような、オーバークラッド層形成用の、透光性を有する四角枠状の成形型２０を準備する。この成形型２０には、オーバークラッド層１２〔図５（ｅ）参照〕の表面形状に対応する型面を有する凹部２０ａが形成されている。そして、その凹部２０ａを上にして、成形型２０を成形ステージ（図示せず）の上に設置し、その凹部２０ａに、オーバークラッド層１２の形成材料である感光性樹脂（ワニス）１２’を充填する。
【００６８】
ついで、図５（ｄ）に示すように、上記アンダークラッド層１１の表面にパターン形成したコア４ａ，５ａ（４ｂ，５ｂ）を、上記成形型２０の凹部２０ａに対して位置決めし、その状態で、上記アンダークラッド層１１を上記成形型２０に押圧し、上記オーバークラッド層１２の形成材料である感光性樹脂１２’内に、上記コア４ａ，５ａを浸す。そして、この状態で、紫外線等の照射線を、上記成形型２０を透して上記感光性樹脂１２’に照射し、その感光性樹脂１２’を露光する。これにより、上記感光性樹脂１２’が硬化し、四角枠状の内周縁部がレンズ部１２ａに形成された四角枠状のオーバークラッド層１２が形成される。
【００６９】
（光導波路の脱型）
つぎに、図５（ｅ）〔図５（ｄ）とは上下を逆に図示している〕に示すように、上記成形型２０から、オーバークラッド層１２を、上記基板１０，アンダークラッド層１１およびコア４ａ，５ａ（４ｂ，５ｂ）とともに脱型する。そして、図５（ｆ）に示すように、上記基板１０をアンダークラッド層１１から剥離し、アンダークラッド層１１，コア４ａ，４ｂ，５ａ，５ｂおよびオーバークラッド層１２からなる、四角枠状でかつ一体の光導波路４，５を得る。
【００７０】
なお、上記実施例では、光導波路の光伝送効率を向上させるために、光出射用のコア４ａ，４ｂの先端部および光入射用のコア５ａ，５ｂの先端部をレンズ部に形成するとともに、それを被覆するオーバークラッド層１２の先端部もレンズ部１２ａに形成した例を示したが、光学式センサＳ１の枠内における光の（空間）伝送効率が充分であれば、上記レンズ部は、コアの一方のみに形成するか、あるいは、両方とも形成しなくてもよい。また、上記実施例では、発光側光導波路４と受光側光導波路５とを一体に作製した例を示したが、これらは別々に作製してもよく、さらに多くの光導波路パーツを組み合わせて形成してもよい。
【００７１】
つぎに、上記四角枠状でかつ一体の光導波路４，５を用いて、光学式センサＳ１を作製する。
【００７２】
（光学式センサの作製）
まず、光学式センサＳ１の基台（フレーム）となる、四角枠状の保持板を準備する。この保持板は、四角枠状の各辺が、上記四角枠状の光導波路４，５より若干太く形成されている。この保持板の形成材料としては、例えば、金属，樹脂，ガラス，石英，シリコン等があげられる。なかでも、平面性の保持に優れている点で、ステンレスが好ましい。保持板の厚みは、例えば、０．５ｍｍ程度に設定される。
【００７３】
つぎに、上記保持板の表面の所定位置に、上記四角枠状の光導波路４，５を貼着し、図２のように、上記発光側光導波路４の入射側端部に、光源２となるＶＣＳＥＬ（垂直共振器面発光レーザー）をアライメント（光軸合わせ）して取り付けるとともに、上記受光側光導波路５の出射側端部に、受光素子アレイ３を、各コア５ａ，５ｂと対応する受光素子の光軸が一致するようにアライメントして取り付ける。
【００７４】
ついで、上記オーバークラッド層１２のレンズ部１２ａを除く光導波路の上面を、保護板等により被覆することにより、図１に示すような、枠状の光学式センサＳ１が得られる。上記保護板の形成材料としては、例えば、樹脂，金属，ガラス，石英，シリコン等があげられる。また、保護板の厚みは、例えば、０．５ｍｍ程度が好ましく、情報機器と通信を無線で行う場合は、上記保護板を、無線電波を透過するポリカーボネート製等の樹脂製とすることが望ましい。
【００７５】
なお、上記枠状の光学式センサＳ１には、先に述べた、筆記用具Ｗの先端位置の移動軌跡情報を記憶する記憶手段Ｍが取り付けられる。この記憶手段Ｍは、ＵＳＢメモリ等の着脱式としてもよい。
【００７６】
また、上記枠状の光学式センサＳ１には、上記図２において図示を省略した機器、例えば、この入力デバイスＤ１を駆動するためのバッテリや、ドライバＩＣ等の制御手段，情報機器と通信・接続するための通信手段（ケーブル接続口または無線アンテナ）等が取り付けられるが、いずれも上記フレーム１を構成する保持板と保護板のスペースに挟み込むことが可能な、薄型のもの（板状の部品やマイクロタイプの電装品等）を使用することが望ましい。これにより、上記バッテリや通信手段等が実装される部分の厚み（総厚）を５〜２５ｍｍ程度に抑えることができる。
【００７７】
つぎに、上記実施例にもとづいて作製した入力デバイスについて、その詳細を説明する。
【００７８】
〔光導波路のアンダークラッド層の形成材料〕
成分Ａ：脂環骨格を含むエポキシ樹脂（ダイセル化学工業社製，ＥＨＰＥ３１５０）７５重量部
成分Ｂ：エポキシ基含有アクリル系ポリマー（日油社製，マープルーフＧ−０１５０Ｍ）２５重量部
成分Ｃ：光酸発生剤（サンアプロ社製，ＣＰＩ−２００Ｋ）４重量部
これら成分Ａ〜Ｃを、紫外線吸収剤（チバジャパン社製，ＴＩＮＵＶＩＮ４７９）５重量部とともに、シクロヘキサノン（溶剤）に溶解することにより、アンダークラッド層の形成材料を調製した。
【００７９】
〔光導波路のコアの形成材料〕
成分Ｄ：ビスフェノールＡ骨格を含むエポキシ樹脂（ジャパンエポキシレジン社製，１５７Ｓ７０）８５重量部
成分Ｅ：ビスフェノールＡ骨格を含むエポキシ樹脂（ジャパンエポキシレジン社製，エピコート８２８）５重量部
成分Ｆ：エポキシ基含有スチレン系ポリマー（日油社製，マープルーフＧ−０２５０ＳＰ）１０重量部
これら成分Ｄ〜Ｆと上記成分Ｃ４重量部とを、乳酸エチルに溶解することにより、コアの形成材料を調製した。
【００８０】
〔光導波路のオーバークラッド層の形成材料〕
成分Ｇ：脂環骨格を有するエポキシ樹脂（ＡＤＥＫＡ社製，ＥＰ４０８０Ｅ）１００重量部
この成分Ｇと上記成分Ｃ２重量部とを混合することにより、オーバークラッド層の形成材料を調製した。
【００８１】
〔光導波路の作製〕
四角枠状のステンレス製基板（厚み５０μｍ）の表面に、上記アンダークラッド層の形成材料（ワニス）を塗布した後、１６０℃×２分間の加熱処理を行い、感光性樹脂層を形成した。ついで、上記感光性樹脂層に対し、紫外線を照射して積算光量１０００ｍＪ／ｃｍ2の露光を行い、厚み１０μｍの四角枠状のアンダークラッド層（波長８３０ｎｍにおける屈折率１．５１０）を形成した。
【００８２】
ついで、上記四角枠状のアンダークラッド層の表面に、上記コアの形成材料を塗布した後、１７０℃×３分間の加熱処理を行い、感光性樹脂層を形成した。つぎに、フォトマスクを介して（ギャップ１００μｍ）、紫外線を照射し、積算光量３０００ｍＪ／ｃｍ2の露光を行った。続いて、１２０℃×１０分間の加熱処理を行い、その後、現像液（γ−ブチロラクトン）を用い現像することにより、未露光部分を溶解除去した。その後、１２０℃×５分間の乾燥処理を行い、幅３０μｍ×高さ５０μｍのコア（波長８３０ｎｍにおける屈折率１．５７０）をパターン形成した。
【００８３】
つぎに、オーバークラッド層形成用の、透光性を有する四角枠状の成形型を準備した。この成形型には、オーバークラッド層の表面形状に対応する型面を有する凹部が形成されている〔図５（ｃ）参照〕。そして、その凹部を上にして、成形型を成形ステージの上に設置し、その凹部に、上記オーバークラッド層の形成材料を充填した。
【００８４】
ついで、上記アンダークラッド層の表面にパターン形成したコアを、上記成形型の凹部に対して位置決めし、その状態で、上記アンダークラッド層を上記成形型に押圧し、上記オーバークラッド層の形成材料内に、上記コアを浸した。そして、この状態で、紫外線を、上記成形型を透して上記オーバークラッド層の形成材料に照射して積算光量８０００ｍＪ／ｃｍ2の露光を行い、四角枠状の内周縁部が凸状のレンズ部に形成された四角枠状のオーバークラッド層を形成した。その凸状のレンズ部は、側断面形状が略１／４円弧状のレンズ曲面（曲率半径１．４ｍｍ）を有するものであった。
【００８５】
つぎに、上記成形型から、上記オーバークラッド層を、上記基板，アンダークラッド層およびコアとともに脱型した。そして、上記基板をアンダークラッド層から剥離し、アンダークラッド層，コアおよびオーバークラッド層からなる四角枠状の光導波路（総厚１ｍｍ）を得た（図２参照）。
【００８６】
〔入力デバイスの作製〕
つぎに、四辺が上記光導波路のより若干幅が太く、余裕を持った幅に形成されている、四角枠状のステンレス製保持板（厚み０．５ｍｍ）を準備し、この保持板の表面の所定位置に、上記四角枠状の光導波路を貼着するとともに、その一辺の外側端縁側に、リチウムイオン電池，アンテナ等の薄型電装部品を固定した。ついで、発光素子（Ｏｐｔｏｗｅｌｌ社製，ＳＭ８５−２Ｎ００１）および受光素子（浜松ホトニクス社製，Ｓ−１０２２６）をアライメントして位置決め固定し、ＵＳＢメモリの接続口，ＡＣアダプタの接続口等、保持板の外縁に配置される部品を取り付けた。
【００８７】
その後、上記保持板の上に、これら光導波路と電装部品等を保護するポリカーボネート製保護板（厚み０．５ｍｍ）からなるカバーを取り付け、光学式の入力デバイスを得た。なお、この入力デバイスは、同様の構成で、各種の用紙サイズ（メモ用紙〜Ａ４サイズ程度まで）に対応した大きさに作製が可能である。以下に今回作製した各入力デバイスの寸法を列記する。
【００８８】
入力デバイスＤ４−メモ用紙対応（図６参照）
枠の内寸（縦８０ｍｍ×横８０ｍｍ，厚み２ｍｍ），フレームの幅（筆記に関与する右辺および下辺で各１５ｍｍ）
【００８９】
入力デバイスＤ５−バイブルサイズ用紙対応（図７参照）
枠の内寸（縦１７１ｍｍ×横９５ｍｍ，厚み３ｍｍ），フレームの幅（筆記に関与する右辺および下辺で各１５ｍｍ）
【００９０】
入力デバイスＤ６−Ａ５サイズ用紙対応〔図８（ａ），（ｂ）参照〕
枠の内寸（縦２１０ｍｍ×横１４８ｍｍ，厚み５ｍｍ），フレームの幅（筆記に関与する右辺および下辺で各１５ｍｍ）
【００９１】
入力デバイスＤ７−Ａ５サイズ用紙対応強度（剛性）向上型〔図８（ａ），（ｃ）参照〕
枠の内寸（縦２１０ｍｍ×横１４８ｍｍ，厚み６ｍｍ）、フレームの幅（筆記に関与する右辺および下辺で各１５ｍｍ）。なお、この入力デバイスＤ７は、フレーム厚みが５ｍｍを越えるため、フレームのすぐ近傍まで文字が書き易いように、少なくとも筆記に関与する右辺および下辺の内縁部分が、他の部位に比べて厚みが薄くなる傾斜状〔図８（ｃ）〕あるいは段状に形成されている。これら傾斜状あるいは段状の詳細形状は、特に限定されない。
【００９２】
入力デバイスＤ８−バイブルサイズ用紙対応強度（剛性）向上型特殊用途向け（図９）
枠の内寸（縦９５ｍｍ×横１７１ｍｍ，厚み１５ｍｍ）、フレームの幅（筆記に関与する右辺，左辺および下辺で各１００ｍｍ，上辺で１５ｍｍ）。なお、この入力デバイスＤ８は、フレームの厚みが５ｍｍを越えるため、フレームのすぐ近傍まで文字が書き易いように、少なくとも筆記に関与する右辺，左辺および下辺の内縁部分を、他の部位に比べて厚みが薄くなる傾斜状〔図９（ｃ）〕あるいは段状〔図９（ｄ）〕に形成してもよい。これら傾斜状あるいは段状の詳細形状は、特に限定されない。
【００９３】
入力デバイスＤ９−Ａ５サイズ用紙対応強度（剛性）向上型特殊用途向け（図１０参照）
枠の内寸（縦１４８ｍｍ×横２１０ｍｍ，厚み２０ｍｍ）、フレームの幅（筆記に関与する右辺，左辺および下辺で各１００ｍｍ，上辺で１５ｍｍ）。なお、この入力デバイスＤ９は、フレームの厚みが５ｍｍを越えるため、フレームのすぐ近傍まで文字が書き易いように、少なくとも筆記に関与する右辺，左辺および下辺の内縁部分を、他の部位に比べて厚みが薄くなる傾斜状〔図１０（ｃ）〕あるいは段状〔図１０（ｄ）〕に形成してもよい。これら傾斜状あるいは段状の詳細形状は、特に限定されない。
【００９４】
また、上記入力デバイスＤ４〜Ｄ９においては、フレーム（光学式センサ）の厚みが各辺で略均一で、上面が平坦な例を示したが、本発明の入力デバイスは、各辺の厚みを必ずしも同一にする必要はなく、例えば、筆記に関与しない辺（右利きの場合，左辺、左利きの場合，右辺）や上辺等を、電池や電装部品等が集積できるように、他の辺に比べて厚く形成してもよい。
【００９５】
〔入力デバイスの動作確認〕
上記各入力デバイスＤ４〜Ｄ９を、用紙の上に載置して、枠内から露呈した用紙の部分に、筆記用具でメモを書き込んだ。そして、上記各入力デバイスＤ４〜Ｄ９とノートパソコンとを、無線ＬＡＮ経由で接続して通信可能とし、そのノートパソコンを利用して、上記各入力デバイスＤ４〜Ｄ９のメモリに保存（記憶）された情報を再生した結果、上記ノートパソコンのディスプレイ上に、上記用紙に書き込んだメモと同じものを表示することができた。
【産業上の利用可能性】
【００９６】
本発明の入力デバイスは、使用する筆記用具に制限がなく、枠内から露呈する用紙に、普段使用している筆記用具でメモ等の情報を書き込むと同時に、そのメモ等の情報が、即座に電子化される。
【符号の説明】
【００９７】
１  フレーム
Ｄ  入力デバイス
Ｓ  光学式センサ
Ｍ  記憶手段
Ｐ  用紙
Ｗ  筆記用具
Ｈ  手のひら
Ｕ  小指球部位
【図１】
2012208928.tif 000003
【図２】
2012208928.tif 000004
【図３】
2012208928.tif 000005
【図４】
2012208928.tif 000006
【図５】
2012208928.tif 000007
【図６】
2012208928.tif 000008
【図７】
2012208928.tif 000009
【図８】
2012208928.tif 000010
【図９】
2012208928.tif 000011
【図１０】
2012208928.tif 000012